【手続補正書】
【提出日】平成21年6月2日(2009.6.2)
【手続補正１】
【補正対象書類名】特許請求の範囲
【補正対象項目名】請求項７
【補正方法】変更
【補正の内容】
【請求項７】
前記炉停止棒駆動機構を取り外した前記上部プラグの開口部に挿入される燃料出入機をさらに有し、
前記燃料出入機は、
前記上部プラグの開口部の上方に配置されたベースによって支持されて互いに直角な水平二方向に移動可能な巻上機構と、
前記巻き上げ機構で吊られた燃料集合体を一時保管するための支持機構と、
を有することを特徴とする請求項１記載の高速炉。
【手続補正２】
【補正対象書類名】特許請求の範囲
【補正対象項目名】請求項８
【補正方法】変更
【補正の内容】
【請求項８】
前記原子炉容器を収容する原子炉建屋の天井上に配置され、前記燃料出入機を水平方向に移動可能に支持する少なくとも２ルートの燃料出入線レールと、
前記原子炉建屋の天井の高さで前記上部プラグの上方に配置された原子炉ピットプラグと、
前記原子炉ピットプラグに対して鉛直軸周りに回転可能で開口可能な床ドアバルブと、
を有し、
前記巻上機構が、前記床ドアバルブの開口の上で、かつ前記炉心の前記複数の燃料集合体すべての真上に移動可能に構成されていること、を特徴とする請求項７記載の高速炉。
【手続補正３】
【補正対象書類名】明細書
【補正対象項目名】００１２
【補正方法】変更
【補正の内容】
【００１２】
［第１の実施の形態］
図１は、本発明の第１の実施の形態に係る高速炉の縦断面図である。図２Ａおよび図２Ｂは図１の炉停止棒を有する反応度制御アセンブリの構成図であって、図２Ａは図２ＢのＡ−Ａに沿う一部を断面で示す側面図、図２Ｂは横断面図である。図３は図１の炉停止棒駆動機構の拡大縦断面図である。
【手続補正４】
【補正対象書類名】明細書
【補正対象項目名】００２１
【補正方法】変更
【補正の内容】
【００２１】
中性子吸収体５２の上端には、円柱状のハンドリングロッド２０１が取り付けられ、ハンドリングロッド２０１の上端は反応度制御アセンブリ２６の頂部から上に僅かに飛び出しており、先端にはグリッパで外掴みできるように膨らみのある中性子吸収体ハンドリングヘッド６０が設けてある。なお、上記反応度制御設備は高速炉に適用した場合について説明しているが、他の原子炉の炉心の反応度制御にも適用できる。
【手続補正５】
【補正対象書類名】明細書
【補正対象項目名】００２２
【補正方法】変更
【補正の内容】
【００２２】
炉停止棒駆動機構２７は、駆動部および上部案内管６６などから構成されている。駆動部は上部プラグ１０上面に自立する形で据え付けられ、上部案内管６６は上部プラグ１０の開口孔から炉内に挿入する形で据え付けられている。炉停止棒駆動機構２７の駆動は、位置決め精度が高く、径方向にコンパクトとなるモータ駆動ボールネジ方式とし、モータ６１によりツインボールネジ６２を回転させ、ボールナット６３により延長管６７，６８の掴み離しを行うラッチ機構６４を上下させる。
【手続補正６】
【補正対象書類名】明細書
【補正対象項目名】００４６
【補正方法】変更
【補正の内容】
【００４６】
図８及び図９に示すように、本実施の形態の高速炉１では、初臨界確認時には、上部プラグ１０に燃料集合体３７交換のための開口部を設ける必要があるが、搭載機器が林立しており、専用の孔を設けることが出来ない。このため、炉停止棒駆動機構２７を取り外した開口部に、原子炉内での燃料集合体３７交換、原子炉内外での燃料集合体３７取扱い、及び、燃料受入搬出設備への移送を行える燃料出入機１０１を設けた構成としている。
【手続補正７】
【補正対象書類名】明細書
【補正対象項目名】００５０
【補正方法】変更
【補正の内容】
【００５０】
燃料集合体３７交換時の原子炉開口部は外気との遮断のために、炉停止棒駆動機構２７を取り外した開口部を覆うように密封筒１１０と原子炉ピットプラグ１０８内に床ドアバルブ１０９を設置している。原子炉ピットプラグ１０８を回転させて床ドアバルブ１０９を所定の方位に設置することができ、複線レール１１１を使用することにより、全炉心２の燃料集合体３７を取り扱うことができる。
【手続補正８】
【補正対象書類名】明細書
【補正対象項目名】００５１
【補正方法】変更
【補正の内容】
【００５１】
以上説明したように本発明の第４の実施の形態によれば、炉停止棒駆動機構２７を取り外した開口部を利用して、燃料交換機を必要とせずに１基の燃料出入機１０１のみで容易な燃料集合体３７取扱が可能となり、物量削減に寄与できるとともに、コンパクトな原子炉構造に適合できる。
【手続補正９】
【補正対象書類名】明細書
【補正対象項目名】００５２
【補正方法】変更
【補正の内容】
【００５２】
【図１】本発明の第１の実施の形態に係る高速炉の縦断面図である。
【図２Ａ】図１の炉停止棒を有する反応度制御アセンブリの構成図であって、図２ＢのＡ−Ａに沿う一部を断面で示す側面図である。
【図２Ｂ】図２Ａの炉停止棒を有する反応度制御アセンブリの横断面図である。
【図３】図１の炉停止棒駆動機構の拡大縦断面図である。
【図４Ａ】図１の高速炉の炉停止棒つかみ部の動作を説明するための図であって、結合した状態を示す図である。
【図４Ｂ】図４Ａの炉停止棒つかみ部の動作を説明するための図であって、切り離した状態を示す図である。
【図５】図１の高速炉の炉停止棒デラッチ機構の構成図である。
【図６】本発明の第２の実施の形態に係る高速炉の炉停止棒デラッチ機構の構成図である。
【図７】本発明の第３の実施の形態に係る高速炉の炉停止棒駆動機構の下部拡大縦断面図である。
【図８】本発明の第４の実施の形態に係る高速炉の燃料出入設備の部分縦断面図である。
【図９】図８の高速炉の燃料出入状態の平面図である。
【図１０】従来の高速炉の縦断面図である。
【手続補正１０】
【補正対象書類名】明細書
【補正対象項目名】００５３
【補正方法】変更
【補正の内容】
【００５３】
１…高速炉、２…炉心、３…炉心槽、４…反射体、５…１次冷却材、６…隔壁、７…原子炉容器、８…中性子遮蔽体、９…ガードベッセル、１０…上部プラグ、１１…駆動軸、１２…反射体駆動装置、１３…炉心支持板、１４…電磁ポンプ、１５…中間熱交換器、１８…入口ノズル、１９…出口ノズル、２４…リブ、２５…ベース、２６…反応度制御アセンブリ、２７…炉停止棒駆動機構、２８…格納ドーム、２９…上部支持板、３０…仕切り板、３１…台座、３７…燃料集合体、３８…エントランスモジュール、３９…炉心支持台、５１…炉停止棒、５２…中性子吸収体、５３…保護管、５４…ハンドリングロッド、５５…炉停止棒ハンドリングヘッド、５６…グリッパ、５７…ダッシュラム、５８…下部案内管、６０…中性子吸収体ハンドリングヘッド、６１…モータ、６２…ツインボールネジ、６３…ボールナット、６４…延長管ラッチ機構、６５…サイクロ減速機、６６…上部案内管、６７…外側延長管、６８…内側延長管、６９…反応度制御アセンブリハンドリングヘッド、７０…保持用マグネット、７１…ラッチフィンガー、７２…アーマチュア、７３…バックアップデラッチ駆動モータ、７４…ロッド、７５…永久磁石、７６…コイル、７７…ベローズ、７８…ラッチベローズ、７９…バックアップシール、８０…中性子吸収体内側延長軸、８１…中性子吸収体外側延長軸、８２…駆動軸ラッチ機構、８３…カバーガスシール部、８４…駆動軸支持用ストッパ、８５…駆動部外側ハウジング、８６…パワーシリンダ、８７…保護筒、８８…整流板、１０１…燃料出入機、１０２…グリッパ、１０３…巻上機構、１０４…可撓性部材、１０５…ベース、１０６…支持機構、１０７…ドアバルブ、１０８…原子炉ピットプラグ、１０９…床ドアバルブ、１１０…密封筒、１１１…レール、２００…ラッパ管、２０１…ハンドリングロッド、２０２…アイボルト、２０３…ジョイント、２０４…案内管ハンドリングヘッド、２０５…ラッチリンク、２０６…ＣＲＤ（制御棒駆動機構）案内管、２１０…原子炉建屋、２１１…天井、２１５…内側延長管ラッチリンク、２２０…格子板